(57)【要約】【課題】  携帯用電子機器装置の電池が充電中であっても、使用目的によってはその使用が可能であるか否かをユーザが容易に認識できるようにする。【解決手段】  ＣＰＵ１は、充電池１６の電池残量を検出して、通信可能な通常動作中および充電中において、検出した電池残量の内容をサブ表示部１０に表示する。【選択図】  図１
2005184619.tif 000002
【特許請求の範囲】
【請求項１】
電池の残量を検出する電池残量検出手段と、
通信可能な通常動作中および充電中において前記電池残量検出手段によって検出された電池残量の内容を所定の表示手段に表示する表示制御手段と、
を備えた携帯用電子機器装置。
【請求項２】
前記電池残量検出手段は、一定時間ごとに前記電池の残量を検出することを特徴とする請求項１記載の携帯用電子機器装置。
【請求項３】
前記表示制御手段は、通常動作中においては前記検出された電池残量の内容を常時表示し、前記充電中においては前記検出された電池残量の内容を前記一定時間ごとに断続的に表示することを特徴とする請求項２記載の携帯用電子機器装置。
【請求項４】
前記表示制御手段は、前記充電中においては前記検出された電池残量を基準として定格範囲内の電池残量に至る推移を段階的に示す態様で前記一定時間ごとに断続的に表示することを特徴とする請求項３記載の携帯用電子機器装置。
【請求項５】
前記充電中において前記検出された電池残量に基づいて通信可能時間を算出する時間演算手段をさらに備え、前記表示制御手段は、前記時間演算手段によって算出された通信可能時間を前記表示手段に表示することを特徴とする請求項１記載の携帯用電子機器装置。
【請求項６】
電池の残量を検出するステップと、
通信可能な通常動作中および充電中において前記検出するステップによって検出された電池残量の内容を所定の表示手段に表示するステップと、
を実行する携帯用電子機器装置の表示方法。
【請求項７】
前記検出するステップは、一定時間ごとに前記電池の残量を検出することを特徴とする請求項６記載の携帯用電子機器装置の表示方法。
【請求項８】
前記表示するステップは、通常動作中においては前記検出された電池残量の内容を常時表示し、前記充電中においては前記検出された電池残量の内容を前記一定時間ごとに断続的に表示することを特徴とする請求項７記載の携帯用電子機器装置の表示方法。
【請求項９】
前記表示するステップは、前記充電中においては前記検出された電池残量を基準として定格範囲内の電池残量に至る推移を段階的に示す態様で前記一定時間ごとに断続的に表示することを特徴とする請求項８記載の携帯用電子機器装置の表示方法。
【請求項１０】
前記充電中において前記検出された電池残量に基づいて通信可能時間を算出するステップをさらに有し、前記表示するステップは、前記算出するステップによって算出された通信可能時間を前記表示手段に表示することを特徴とする請求項６記載の携帯用電子機器装置の表示方法。
【発明の詳細な説明】
【技術分野】
【０００１】
本発明は、携帯用電子機器装置およびその表示方法に関し、特に、内蔵する電池の残量を表示する携帯用電子機器装置およびその表示方法に関するものである。
【背景技術】
【０００２】
従来、充電可能な二次電池を内蔵した携帯電話や携帯通信端末などの携帯用電子機器装置においては、電池残量を電池形状のアイコンによって表示したり、電池残量に応じて通信可能か否かを表示するなどの方法によって、ユーザの注意を喚起するような構成になっている。
例えば、ある提案による携帯電話機の電池残量通報装置においては、携帯電話機が充電台から取り外されたときに割込み信号を発生し、電池残量を監視し、その割込み信号に応じて電池残量を示す信号を発生し、その信号における電池残量に対応する鳴音信号をスピーカに出力して使用者に通報するような構成になっている。これにより、電池残量の表示を見なくても電池残量を知ることができるので、電池切れを事前に知って対応できる。（特許文献１参照）
また、ある提案による携帯電話機およびその電池残量報知方法においては、一通話ごとに通話時間を算出し、さらに平均通話時間を算出して記憶し、二次電池の残量を検出して、その残量から通信可能時間を算出し、記憶した平均通話時間と算出した通信可能時間とを比較して、その比較結果に応じて通信可能又は通話不可能であることを報知するような構成になっている。これにより、ユーザは前もって電池交換若しくは充電が必要なタイミングを知ることができる。（特許文献２参照）
また、ある提案による折り畳み携帯電話機の電池残量確認装置においては、携帯電話機が折り畳んだ状態においても、押下可能なキーおよび発光可能なＬＥＤによって、キーの押下に応じて充電の一時停止と電池残量の監視を行って、ＬＥＤによって電池残量を視覚的に通知するような構成になっている。これにより、充電中において携帯電話機を充電器から外すことなく電池レベル確認を行うことが可能になる。（特許文献３参照）
また、ある提案による電池残量レベル表示機能付き携帯通信端末においては、電池の放電特性に従って電池残量のレベル切替えしきい値電圧、しきい値電圧より高い第１の電圧、およびしきい値より低い第２の電圧を設定したテーブルを記憶し、定期的に測定した電池電圧とテーブルのしきい値電圧とを参照し、測定した電池電圧が第１の電圧以下となった時点から消費電流を計測し、消費電流が所定のしきい値以上となったときに電池残量のレベルを切替えて、その電池残量のレベルを表示するような構成になっている。さらに、充電開始または充電終了の情報を通知することによって、充電が未完状態で終了した情報を受けたときには、電池電圧が第１の電圧より高い場合は、テーブルに従ったレベルを表示し、電池電圧が第１の電圧より低く第２の電圧より高い場合は、充電開始直前のレベルを表示するような構成になっている。これにより、電池残量レベルの切替えポイントの電圧変化が小さくて切替え表示誤差が生ずるような放電特性を持つ電池を用いた場合でも、電池残量レベルの比が最適となるように表示することが可能となる。（特許文献４参照）
また、ある提案による電子機器においては、充電池の残量が所定の閾値を下回ったか否かを監視し、その監視結果に基づき、ネットワークを介して充電装置に接続された管理装置に対して通知信号を送信するような構成になっている。また、この構成を実現するための管理装置、充電装置、充電サービスシステムおよび充電サービス方法の技術が記載されている。また、充電装置は、電子機器に設けられた充電完了を示す表示を検出するような構成になっている。これにより、電子機器が充電池の残量を検出して、所定の残量を下回ると自動的に充電装置の予約処理を行うので、使用者は充電池の残量を把握する必要がない。（特許文献５参照）
また、ある提案による折り畳み式携帯電話機およびその電池レベル表示方法においては、電池の残量レベルを検出し、発光色の異なる複数の発光素子によって、電池の残量レベルに応じた発光色を選択して表示するような構成になっている。これにより、ユーザは容易に電池の残量レベルを確認することができる。（特許文献６参照）
【特許文献１】特開平９−８３４２６号公報
【特許文献２】特開２０００−１９６７１４号公報
【特許文献３】特開２００２−１６４９７４号公報
【特許文献４】特開２００２−３３５３０７号公報
【特許文献５】特開２００３−３４８７５７号公報
【特許文献６】特開２０００−２９５３２８号公報
【発明の開示】
【発明が解決しようとする課題】
【０００３】
しかしながら上記各特許文献は、いずれも携帯電話機の着信待受け状態又は使用状態における電池残量の表示であるので、携帯電話機を充電装置に装着して充電が開始した後は、充電完了まで待つか又は充電装置から取り外して充電を中止して電池残量を確認しなければならい。通常、携帯電話機には充電用のインジケータとして赤色発光および緑色発光が可能なＬＥＤが設けられており、充電装置に装着するとＬＥＤが赤色で発光し、充電完了に応じて緑色で発光する。ユーザはＬＥＤの発光色が赤から緑に変わったことを確認して充電装置から取り外すことになる。したがって、例えば数回程度のメールを送信するなどのように、ある程度充電がされていれば使用可能な状態であっても、ＬＥＤの発光が赤で充電完了に達していなければ、ユーザには使用可能であるかどうかは分からない。
その第１の理由は、ＬＣＤなどの表示部の電池形状のアイコンは、使用モードにおいては電池残量を表示するが、充電モードにおいては充電状態に関係なく固定の表示パターンで点滅するだけであるからである。すなわち、図１０に示すように、電池形状のアイコンにおいて、電池残量が少ない状態０と電池残量が十分である状態３とが交互に表示される。また、第２の理由は、充電中における電池の電圧上昇特性が指数関数的になっていて、電池残量が少ない場合には一定の電流で急速に充電するが、定格範囲内の電池残量の９０％以上まで充電された後は、電流を少なくしてゆっくりと充電するので、１００％に達するまでにさらに多く時間がかかり、その間はＬＥＤの表示が緑色にならないからである。このため、ユーザは、充電途中でも使用したい場合には、携帯電話機を一旦充電装置から取り外し、充電モードから通常モードに切り替わった後、表示された電池残量が使用目的を満たす程度に達しているかどうかを確認する必要がある。
本発明は、上記従来の課題を解決するためのものであり、携帯電話やその他の携帯用電子機器装置の電池が充電中であっても、使用目的によってはその使用が可能であるか否かをユーザが容易に認識できるようにすることを目的とする。
【課題を解決するための手段】
【０００４】
請求項１記載の携帯用電子機器装置は、電池（実施形態においては、図１の充電池１６に相当する）の残量を検出する電池残量検出手段（実施形態においては、図１のＣＰＵ１に相当する）と、通信可能な通常動作中および充電中において電池残量検出手段によって検出された電池残量の内容を所定の表示手段（実施形態においては、図１のサブ表示部１０に相当する）に表示する表示制御手段（実施形態においては、図１のＣＰＵ１に相当する）と、を備えた構成になっている。
【０００５】
請求項１の携帯用電子機器装置において、請求項２に記載したように、電池残量検出手段は、一定時間（実施形態においては、図４のタイマインタラプトの時間に相当する）ごとに電池の残量を検出するような構成にしてもよい。
請求項２の携帯用電子機器装置において、請求項３に記載したように、表示制御手段は、通常動作中においては検出された電池残量の内容を常時表示し、充電中においては検出された電池残量の内容を一定時間ごとに断続的に表示するような構成にしてもよい。
請求項３の携帯用電子機器装置において、請求項４に記載したように、表示制御手段は、充電中においては検出された電池残量を基準として定格範囲内の電池残量に至る推移を段階的に示す態様（実施形態においては、図７ないし図９に示す態様に相当する）で一定時間ごとに断続的に表示するような構成にしてもよい。
また、請求項１の携帯用電子機器装置において、請求項５に記載したように、充電中において検出された電池残量に基づいて通信可能時間を算出する時間演算手段（実施形態においては、図１のＣＰＵ１に相当する）をさらに備え、表示制御手段は、時間演算手段によって算出された通信可能時間を表示手段に表示するような構成にしてもよい。
【０００６】
請求項６に記載の携帯用電子機器装置の表示方法は、電池（実施形態においては、図１の充電池１６に相当する）の残量を検出するステップと、通信可能な通常動作中および充電中において検出するステップによって検出された電池残量の内容を所定の表示手段（実施形態においては、図１のサブ表示部１０に相当する）に表示するステップと、を実行する構成になっている。なお、検出するステップおよび表示するステップは、実施形態においては、図１のＣＰＵ１の処理に相当する。
【０００７】
請求項６の表示方法において、請求項７に記載したように、検出するステップは、一定時間（実施形態においては、図４のタイマインタラプトの時間に相当する）ごとに電池の残量を検出するような構成にしてもよい。
請求項７の表示方法において、請求項８に記載したように、表示するステップは、通常動作中においては検出された電池残量の内容を常時表示し、充電中においては検出された電池残量の内容を一定時間ごとに断続的に表示するような構成にしてもよい。
請求項８の表示方法において、請求項９に記載したように、表示するステップは、充電中においては検出された電池残量を基準として定格範囲内の電池残量に至る推移を段階的に示す態様（実施形態においては、図７ないし図９に示す態様に相当する）で一定時間ごとに断続的に表示するような構成にしてもよい。
請求項１の表示方法において、請求項１０に記載したように、充電中において検出された電池残量に基づいて通信可能時間を算出するステップをさらに有し、表示するステップは、算出するステップによって算出された通信可能時間を表示手段に表示するような構成にしてもよい。なお、算出するステップは、実施形態においては、図１のＣＰＵ１の処理に相当する。
【発明の効果】
【０００８】
本発明の携帯用電子機器装置およびその表示方法によれば、電池が充電中であっても、使用目的によってはその使用が可能であるか否かをユーザが容易に認識できるという効果が得られる。
【発明を実施するための最良の形態】
【０００９】
以下、本発明による携帯用電子機器装置の実施形態について、携帯電話を例に採って図を参照して説明する。
図１は、実施形態における携帯電話の構成を示す概略のブロック図である。
図１において、ＣＰＵ１は、ベースバンド信号処理のＤＳＰ（ディジタル・シグナル・プロセッサ）を内蔵したワンチップＩＣで構成されている。ＣＰＵ１のシステムバスには、ＲＯＭ２、ＲＡＭ３、ＲＦブロック４、スイッチ部５、カメラ６、メモリカードドライバ７などが接続されている。また、ＣＰＵ１には、表示ドライバ８を介して表示部９およびサブ表示部１０が接続されている。また、ＣＰＵ１には、ドライバ（図示せず）を介してマイク１１、スピーカ１２、イヤホン１３が接続されている。さらに、ＣＰＵ１には、電源ＩＣ１４が接続され、電源ＩＣ１４には、ＡＣアダプタ１５および充電池１６が接続されている。また、図には示していないが、ＣＰＵ１、ＲＯＭ２、ＲＡＭ３、スイッチ部５などを収容する本体部と、カメラ６、表示部９、サブ表示部１０などを収容する蓋部とが、ヒンジによって開閉できる構造になっている。蓋部が開かれると、表示部９のバックライトが点灯する。
【００１０】
ＲＯＭ２には、通信制御処理や表示処理などの制御プログラム、充電池１６の電池残量に応じた待受け時間、すなわち通信可能時間のテーブル、イニシャライズにおけるデフォルト値などが格納されている。ＲＡＭ３は、ＣＰＵ１のワークエリアであり、ＣＰＵ１によって処理されるデータを一時的にストアするバッファエリア、各種のレジスタやフラグなどのエリア、表示部９および表示部１０に表示すべき画面の画像データをストアする表示エリアなどが設けられている。
スイッチ部５は、携帯電話のためのオフフックスイッチ、オンフックスイッチ、発信スイッチ、数字スイッチ、サブ表示部１０のバックライトを点灯するスイッチなどのキースイッチ群と、蓋部の開閉を検出してオン・オフとなる折りたたみスイッチで構成されている。カメラ６は、レンズ、ＣＣＤ、バッファ、カメラスイッチ、シャッタスイッチ（いずれも図示せず）などで構成され、カメラスイッチがオンされるとＣＣＤによってレンズからの画像を撮像し、シャッタスイッチがオンされると、撮像した画像データをバッファにストアする。メモリカードドライバ７は、着脱自在なメモリカードに対して情報を書き込むとともに、メモリカードの情報を読み出す。
表示部９には、蓋部が開かれた状態において、待受け画面、各種の機能メニュー画面などが表示されるとともに、充電池１６の電池残量を示す電池形状のアイコン、電界強度を示すアンテナ形状のアイコン、現在時間などが常時表示される。サブ表示部１０には、電池形状のアイコンによって充電池１６の電池残量を示すマーク、アンテナ形状のアイコンによって電界強度、現在時間、その他の情報が表示される。ＣＰＵ１は、電源ＩＣ１４を介して、充電池１６の残量を検出することができる。
マイク１１は、通話処理においてユーザの音声を電気信号に変換してＣＰＵ１に入力する。スピーカ１２およびイヤホン１３は着信音や通話相手の音声を出力する。
【００１１】
次に、この携帯電話における通話処理、充電池１６の充電処理、およびサブ表示部１０の表示処理の動作について、ＣＰＵ１によって実行されるフローチャートに基づいて説明する。
図２は、メインルーチンのフローチャートである。蓋部が開かれて電源スイッチがオン操作されると、表示部９のバックライトを点灯するなどの所定のイニシャライズを行って（ステップＳＡ１）、表示部９に待受画面の画像を表示する（ステップＳＡ２）。次に、オフフックスイッチが操作されたか否かを判別し（ステップＳＡ３）、このスイッチが操作されたときは、電話番号入力画面を表示して、スイッチ部５の操作に応じて電話番号の入力処理を行う（ステップＳＡ４）。電話番号が入力されたときは電話網に対して発信する（ステップＳＡ５）。このとき、スピーカ１２によって呼出報知を行う（ステップＳＡ６）。この呼出報知の間に、発信に応答して被呼側との間に回線接続が確立したか否かを判別し（ステップＳＡ７）、回線接続が確立したときは、通話処理に遷移して音声信号の送受信を行う（ステップＳＡ８）。通話処理においては、オンフックスイッチが操作されたか否かを判別し（ステップＳＡ９）、このスイッチが操作されたときは、回線切断などの終話処理を行う（ステップＳＡ１０）。終話処理の後は、ステップＳＡ２に移行して、再び表示部９に待受画面の画像を表示する。
【００１２】
ステップＳＡ３においてオフフックスイッチがオンでない場合には、充電オンか否かを判別する（ステップＳＡ１１）。すなわち、携帯電話が充電装置に装着されたか否かを判別する。充電オンの場合には、フラグＣＦを「１」にセットする（ステップＳＡ１２）。携帯電話が充電装置に装着された状態では、充電オフにされたか否かを判別する（ステップＳＡ１３）。充電オフの場合には、ＣＦを「０」にリセットする（ステップＳＡ１４）。充電オンおよび充電オフでない場合、又は、ＣＦを「１」にセットした後若しくは「０」にリセットした後は、折りたたみスイッチがオフにされたか否かを判別する（ステップＳＡ１５）。このスイッチがオフでない場合には、ステップＳＡ３に移行して、オフフックスイッチがオンされたか否かを判別する。
【００１３】
ステップＳＡ１５において、折りたたみスイッチがオフされた場合、すなわち、蓋部が閉じられた場合には、表示部９をオフにする（ステップＳＡ１６）。そして、着信を受けたか否かを判別する着信検知を行う（ステップＳＡ１７）。着信を検知したときは、着信処理を実行する（ステップＳＡ１８）。着信を検知しない場合には、折りたたみスイッチがオンされたか否かを判別する（ステップＳＡ１９）。このスイッチがオンされない場合には、ステップＳＡ１７において着信検知を続行するが、このスイッチがオンされたときは、着信検知を続行するとともに、ステップＳＡ２に移行して、表示部９に待受画面の画像を表示する。
【００１４】
図３は、図２のメインルーチンにおけるステップＳＡ１８の着信処理のフローチャートである。着信を検知すると、スピーカ１２によって着信報知を行う（ステップＳＢ１）。そして、オフフックスイッチが操作されたか否かを判別し（ステップＳＢ２）、このスイッチが操作されたときは、通話処理に遷移して音声信号の送受信を行う（ステップＳ３）。通話処理においては、オンフックスイッチが操作されたか否かを判別し（ステップＳＢ４）、このスイッチが操作されたときは、回線切断などの終話処理を行う（ステップＳＢ５）。終話処理の後は、図２のメインルーチンのフローチャートに戻る。
【００１５】
図４ないし図６は、本発明の特徴である表示方法を示すタイマインタラプトのフローチャートである。一定時間（例えば、１秒）ごとのタイマインタラプトに応じて、電池残量を検出する（ステップＳＣ１）。この検出処理は、待受け中や通話中などの通信可能な通常動作中だけでなく、充電中においても行う。その検出結果は、表示部９又はサブ表示部１０のいずれか一方に表示される。すなわち、蓋部が開かれている状態では表示部９に電池残量を表示し、蓋部が閉じられている状態ではサブ表示部１０に電池残量を表示する。いずれの場合においても、電池形状のアイコン内における３つの表示エリア（これを「セグメント」という）によって電池残量を表示する。図７ないし図９は、サブ表示部１０における表示態様を示す。図７に示すように、アイコン内に３つのセグメント（Ｓｅｇｍｅｎｔ１〜３）があり、検出した電池残量に応じて各セグメントの点灯状態（図では黒）又は消灯状態（図では白）が制御される。
【００１６】
図４のフローチャートのステップＳＣ１において電池残量を検出した後は、セグメントの点灯処理を行う。電池残量が７０％未満であるか否かを判別し（ステップＳＣ２）、７０％以上である場合には、セグメント１ないし３をすべて点灯する（ステップＳＣ３）。電池残量が７０％未満である場合には、さらに５０％未満であるか否かを判別し（ステップＳＣ４）、５０％以上である場合には、セグメント１および２を点灯する（ステップＳＣ５）。電池残量が５０％未満である場合には、さらに３０％未満であるか否かを判別し（ステップＳＣ６）、３０％以上である場合には、セグメント１のみを点灯する（ステップＳＣ７）。電池残量が３０％未満である場合には、いずれのセグメントも点灯しない。セグメントの点灯処理の後は、フラグＣＦが「０」であるか否かを判別し（ステップＳＣ８）、ＣＦが「０（通常動作中）」である場合には、メインルーチンに戻る。
【００１７】
一方、ＣＦが「１（充電中）」である場合には、セグメントの点滅処理を行う。図５のフローチャートにおいて、電池残量が３０％未満であるか否かを判別し（ステップＳＣ９）、３０％未満である場合には、セグメント１が消灯状態であるか否かを判別する（ステップＳＣ１０）。消灯状態である場合にはセグメント１を点灯して（ステップＳＣ１１）、メインルーチンに戻る。セグメント１が点灯状態である場合には、セグメント２が消灯状態であるか否かを判別する（ステップＳＣ１２）。消灯状態である場合にはセグメント２を点灯して（ステップＳＣ１３）、メインルーチンに戻る。セグメント２が点灯状態である場合には、セグメント３が消灯状態であるか否かを判別する（ステップＳＣ１４）。消灯状態である場合にはセグメント３を点灯して（ステップＳＣ１５）、メインルーチンに戻る。セグメント３が点灯状態である場合、すなわち、セグメント１ないし３がすべて点灯状態である場合には、セグメント１ないし３をすべて消灯して（ステップＳＣ１６）、メインルーチンに戻る。
この場合のセグメントの点灯態様は、図７に示すように、すべてのセグメントを消灯した状態０、セグメント１のみを点灯した状態１、セグメント１および２を点灯した状態２、すべてのセグメントを点灯した状態３、再び状態０に戻る表示処理を、例えば１秒間隔のタイマインタラプトごとにサイクリックに繰り返す。したがって、ユーザは現在の電池残量が３０％未満であることを認識できる。
【００１８】
ステップＳＣ９において、電池残量が３０％未満でない場合には、図６のフローチャートにおいて、電池残量が３０％以上５０％未満であるか否かを判別し（ステップＳＣ１７）、この範囲である場合には、セグメント１は点灯状態になっているので、次のセグメント２が消灯状態であるか否かを判別する（ステップＳＣ１８）。消灯状態である場合にはセグメント２を点灯して（ステップＳＣ１９）、メインルーチンに戻る。セグメント２が点灯状態である場合には、セグメント３が消灯状態であるか否かを判別する（ステップＳＣ２０）。消灯状態である場合にはセグメント３を点灯して（ステップＳＣ２１）、メインルーチンに戻る。セグメント３が点灯状態である場合、すなわち、セグメント１ないし３がすべて点灯状態である場合には、セグメント２およびし３を消灯して（ステップＳＣ１６）、メインルーチンに戻る。したがって、この場合には、セグメント１は常に点灯状態を維持する。
この場合のセグメントの点灯態様は、図８に示すように、セグメント１のみを点灯した状態１、セグメント１および２を点灯した状態２、すべてのセグメントを点灯した状態３、再び状態１に戻る表示動作を、タイマインタラプトごとにサイクリックに繰り返す。したがって、ユーザは現在の電池残量が３０％以上５０％未満であることを認識できる。
【００１９】
ステップＳＣ１７において、電池残量が３０％以上５０％未満でない場合には、電池残量が５０％以上７０％未満であるか否かを判別し（ステップＳＣ２３）、この範囲である場合には、セグメント１および２は点灯状態になっているので、次のセグメント３が消灯状態であるか否かを判別する（ステップＳＣ２４）。消灯状態である場合にはセグメント３を点灯して（ステップＳＣ２５）、メインルーチンに戻る。セグメント３が点灯状態である場合、すなわち、セグメント１ないし３がすべて点灯状態である場合には、セグメント３を消灯して（ステップＳＣ２６）、メインルーチンに戻る。したがって、この場合には、セグメント１および２は常に点灯状態を維持する。
この場合のセグメントの点灯態様は、図９に示すように、セグメント１および２を点灯した状態２と、すべてのセグメントを点灯した状態３とを交互に繰り返す表示動作を、タイマインタラプトごとに行う。したがって、ユーザは現在の電池残量が５０％以上７０％未満であることを認識できる。
【００２０】
ステップＳＣ２３において、電池残量が５０％以上７０％未満でない場合、すなわち、電池残量が７０％以上である場合には、図４のステップＳＣ３においてすべてのセグメントを点灯した状態が維持される。したがって、ユーザは現在の電池残量が７０％以上であることを認識できる。
【００２１】
以上のように、この実施形態によれば、ＣＰＵ１は、充電池１６の電池残量を検出して、通信可能な通常動作中だけでなく充電中においても、検出した電池残量の内容をサブ表示部１０に表示するので、携帯電話の充電池１６が充電中であっても、使用目的によってはその使用が可能であるか否かをユーザが容易に認識できる。
この場合において、ＣＰＵ１は一定時間ごとに残量を検出するので、充電中である場合でも、電池残量の検出処理のために着信検知に支障をきたすことがない。
また、充電中においては、検出した電池残量の内容をサブ表示部１０に一定時間ごとに断続的に表示するので、ユーザは現在の電池残量を誤りなく認識することができる。さらに、この場合において、検出された電池残量を基準として定格範囲内の電池残量（電池残量が７０％以上）に至る推移を段階的に示す状態で、一定時間ごとに断続的に表示するので、ユーザは現在の電池残量を確実に認識することができ、充電が進行中であるか充電完了かを容易に認識することができる。
【００２２】
上記実施形態においては、充電中における電池残量を電池形状のアイコンによって表示する構成にしたが、電池残量を検出した後に、その電池残量に応じて現在の待受時間、すなわち通信可能時間を算出して、アイコンによる電池残量の表示とともに、又は、アイコンによる電池残量に代えて、その算出した通信可能時間をサブ表示部１０に表示する構成にしてもよい。すなわち、ＲＯＭ２に記憶されている充電池１６の電池残量に応じた通信可能時間のテーブルに基づいて算出した通信可能時間を表示する。
【００２３】
なお、上記実施形態においては、携帯電話を例に採って本発明の携帯用電子機器装置およびその表示方法を説明したが、本発明の適用できる範囲は携帯電話に限らず、ＰＨＳや携帯情報端末（ＰＤＡ）などの携帯用電子機器装置にも適用することができる。
さらに、携帯用電子機器装置としてのデジタルカメラの充電池を本体に装着した状態で充電する場合に、本体に電池残量を表示する表示手段を設ける構成にすれば、実施形態と同様の効果が得られる。例えば、数枚の写真を撮るような使用は、電池残量が少ない場合でも可能であるので、ユーザは充電が完了していない場合でも、使用目的に応じてデジタルカメラを使用できる。
また、ノートパソコンやパームトップパソコンなどのように、充電を必要とする携帯用電子機器装置にも本発明を適用することができる。例えば、保存しているファイルを表示したり、数ページ程度の文書を入力する使用は、電池残量が少ない場合でも可能であるので、ユーザは充電が完了していない場合でも、使用目的に応じてノートパソコンやパームトップパソコンを使用できる。
【図面の簡単な説明】
【００２４】
【図１】本発明の携帯用電子機器装置の実施形態における携帯電話の構成を示すブロック図。
【図２】本発明の実施形態における携帯電話の動作を示すＣＰＵのメインルーチンのフローチャート。
【図３】図２における着信処理のフローチャート。
【図４】本発明の実施形態における表示処理を示すタイマインタラプトのフローチャート。
【図５】図４に続くタイマインタラプトのフローチャート。
【図６】図５に続くタイマインタラプトのフローチャート。
【図７】図１のサブ表示部におけるアイコンに表示された電池残量の例を示す図。
【図８】図１のサブ表示部におけるアイコンに表示された電池残量の他の例を示す図。
【図９】図１のサブ表示部におけるアイコンに表示された電池残量の他の例を示す図。
【図１０】従来の携帯電話におけるアイコンに表示された電池残量を示す図。
【符号の説明】
【００２５】
１  ＣＰＵ
２  ＲＯＭ
３  ＲＡＭ
４  ＲＦブロック
５  スイッチ部
６  カメラ
７  メモリカードドライバ
８  表示ドライバ
９  表示部
１０  サブ表示部
１１  マイク
１２  スピーカ
１３  イヤホン
１４  電源ＩＣ
１５  ＡＣアダプタ
１６  充電池
【図１】
2005184619.tif 000003
【図２】
2005184619.tif 000004
【図３】
2005184619.tif 000005
【図４】
2005184619.tif 000006
【図５】
2005184619.tif 000007
【図６】
2005184619.tif 000008
【図７】
2005184619.tif 000009
【図８】
2005184619.tif 000010
【図９】
2005184619.tif 000011
【図１０】
2005184619.tif 000012